(57)【要約】      （修正有）【課題】火災予防の観点から電気回路に接続される蓄電容量を制限しつつ、大規模災害発生時などに長時間の電力供給も可能な小型蓄電設備を提供する。【解決手段】電気的に相互に接続される充電装置Ｄ、蓄電池Ｃから構成される電池部と、制御装置Ｇから構成される制御部とから成り、電池部と制御部とが嵌合式コネクタＩ、Ｊを介して電気的に接続される本体ユニットＡを構成する。さらに、電気的に相互に接続される充電装置Ｌ、蓄電池Ｋから構成される電池部から成り、本体ユニットと嵌合式コネクタＯを介して電気的に接続することが可能な予備電池ユニットＢを設えて、小型蓄電設備を構成する。【選択図】図１
0003183161.tif 000002
【実用新案登録請求の範囲】
【請求項１】
１つの本体ユニットと１つ以上の予備電池ユニットから成り、本体ユニットは電気的に相互に接続される充電装置と蓄電池から構成される電池部と、制御装置から構成される制御部とから成り、本体ユニットの電池部と制御部とはその各々が１口のみ有する着脱可能な嵌合式コネクタを介して電気的に接続することが可能であり、予備電池ユニットは電気的に接続される充電装置、蓄電池から構成される電池部から成り、本体ユニットの電池部に代えて予備電池ユニットの電池部と本体ユニットの制御部とをその各々が１口のみ有する着脱可能な嵌合式コネクタを介して電気的に接続することが可能であることを特徴とする小型蓄電設備。
【請求項２】
１つの本体ユニットと１つ以上の予備電池ユニットから成り、本体ユニットと予備電池ユニットはそれぞれが独立分離した金属製または樹脂製の筐体に収納され、本体ユニットは電気的に相互に接続される充電装置、蓄電池から構成される電池部と、制御装置から構成される制御部とから成り、本体ユニットの電池部と制御部とはその各々が筐体外部に１口のみ有する着脱可能な嵌合式コネクタを介して電気的に接続することが可能であり、予備電池ユニットは電気的に接続される充電装置、蓄電池から構成される電池部から成り、本体ユニットの電池部に代えて予備電池ユニットの電池部と本体ユニットの制御部とをその各々が筐体外部に１口のみ有する着脱可能な嵌合式コネクタを介して電気的に接続することが可能であることを特徴とする小型蓄電設備。
【請求項３】
１つの本体ユニットと１つ以上の予備電池ユニットから成り、本体ユニットと予備電池ユニットはそれぞれが独立分離した金属製または樹脂製の筐体に収納され、それぞれの筐体は底面に取り付けられたキャスターにより移動可能であり、本体ユニットは電気的に相互に接続される充電装置、蓄電池から構成される電池部と、制御装置から構成される制御部とから成り、本体ユニットの電池部と制御部とはその各々が筐体外部に１口のみ有する着脱可能な嵌合式コネクタを介して電気的に接続することが可能であり、予備電池ユニットは電気的に接続される充電装置、蓄電池から構成される電池部から成り、本体ユニットの電池部に代えて予備電池ユニットの電池部と本体ユニットの制御部とをその各々が筐体外部に１口のみ有する着脱可能な嵌合式コネクタを介して電気的に接続することが可能であることを特徴とする小型蓄電設備。
【考案の詳細な説明】
【技術分野】
【０００１】  本考案は、小型蓄電設備に関する。
【背景技術】
【０００２】  従来の小型蓄電設備は主に、一次側交流電流を直流電流に変換する装置（以下、「充電装置」という）、二次側直流電流を交流電流に逆変換する装置（以下、「制御装置」という）、およびこれらに接続された蓄電池で構成されている。【０００３】  しかしながら、従来の小型蓄電設備は、火災予防の観点からその電気回路に接続される蓄電容量が制限されるため、大規模災害発生時など長時間の電力供給を必要とするときにそれに応えられないという欠点と、電気回路に接続される蓄電容量を設置者が不用意に増やすと火災のリスクを過って高めてしまうという欠点があった。
【先行技術文献】
【特許文献】
【０００４】
【特許文献１】  登録実用新案第３１７０４０７号
【非特許文献】
【０００５】
【非特許文献１】  「あんしん電源  リーフレットＡＤ−ＢＣＰ−１１１１１４」株式会社百家堂，２０１１年
【考案の概要】
【考案が解決しようとする課題】
【０００６】  本考案は、以上のような従来の欠点に鑑み、火災予防の観点から電気回路に接続される蓄電容量を適量に限定して、かつ大規模災害発生時などに長時間の電力供給も可能な小型蓄電設備を提供することを目的としている。
【課題を解決するための手段】
【０００７】  上記目的を達成するために、本考案は、電気的に相互に接続される充電装置、蓄電池から構成される電池部と、制御装置から構成される制御部とから成り、電池部と制御部とはその各々が１口のみ有する着脱可能な嵌合式コネクタを介して電気的に接続することが可能である１つの本体ユニットと、電気的に相互に接続される充電装置、蓄電池から構成される電池部から成り、本体ユニットの電池部に代えて予備電池ユニットの電池部と本体ユニットの制御部とをその各々が１口のみ有する着脱可能な嵌合式コネクタを介して電気的に接続することが可能である１つ以上の予備電池ユニットとで、小型蓄電設備を構成している。
【考案の効果】
【０００８】  本考案にあたっては次に列挙する効果が得られる。
（１）電気的に相互に接続される充電装置、蓄電池から構成される電池部と、制御装置から構成される制御部とから成り、電池部と制御部とはその各々が１口のみ有する着脱可能な嵌合式コネクタを介して電気的に接続することが可能である１つの本体ユニットと、電気的に接続される充電装置、蓄電池から構成される電池部から成り、本体ユニットの電池部に代えて予備電池ユニットの電池部と本体ユニットの制御部とをその各々が１口のみ有する着脱可能な嵌合式コネクタを介して電気的に接続することが可能である１つ以上の予備電池ユニットとで構成されるので、電気回路に接続される蓄電容量は常に本体ユニット、予備電池ユニットが持つそれぞれの蓄電容量に限定され、かつ本体ユニット、予備電池ユニットの蓄電池を順に使って長時間電力を供給することが可能になる。【０００９】（２）請求項２、３も前記（１）と同様な効果が得られる。
【図面の簡単な説明】
【００１０】
【図１】  本考案を実施するための一形態の立面図である。
【考案を実施するための形態】
【００１１】  以下、本考案の実施の形態を図に基づいて説明する。
【実施例１】
【００１２】  図１は、本考案の実施例１の立面図であって、それぞれ金属製のキャスター付き筐体に収納された本体ユニットＡと予備電池ユニットＢがあり、Ａ内部の蓄電池Ｃと充電装置Ｄとは電線Ｅで接続され、蓄電池Ｃに接続された電線ＦとＡ内部の制御装置Ｇに接続された電線Ｈとは嵌合式コネクタＩと嵌合式コネクタＪを介してＡの筐体外で接続可能であり、Ｂの蓄電池Ｋと充電装置Ｌとは電線Ｍで接続され、蓄電池Ｋに接続された電線ＮとＨとはＩと嵌合式コネクタＯとを介してＡ及びＢの筐体外で接続可能であり、Ｄは交流用ケーブルとプラグＰを介して、Ｌは交流用ケーブルとプラグＱを介して外部の交流電源コンセントに接続し、ＧはＡの筐体に取り付けられた交流用ケーブルとコンセントＲに接続し、Ｒに接続される交流電気器具に電力を供給する。
【産業上の利用可能性】
【００１３】  本考案は、小型蓄電設備を製造する産業で利用される。
【符号の説明】
【００１４】Ａ  本体ユニット
Ｂ  予備電池ユニット
Ｃ  蓄電池
Ｄ  充電装置
Ｅ  電線
Ｆ  電線
Ｇ  制御装置
Ｈ  電線
Ｉ  嵌合式コネクタ
Ｊ  嵌合式コネクタ
Ｋ  蓄電池
Ｌ  充電装置
Ｍ  電線
Ｎ  電線
Ｏ  嵌合式コネクタ
Ｐ  交流用プラグ
Ｑ  交流用プラグ
Ｒ  交流用コンセント
【図１】
0003183161.tif 000003